(57)【要約】【課題】電子技術を悪用しても内部に記憶されている情報を読み取って偽造することが困難なカードと、そのようなカードを読み取るのに用いられるカード読取装置と、係るカード及びカード読取装置を用いた認証システムの提供。【解決手段】カード読取装置（カードリーダー２）と接触される側の表面における所定箇所に香料（香料チップ１３）を載置し、所定量の香料分子が通過して徐放される様に該香料を載置した側の表面は平坦面となる様に被覆されていることを特徴としている。【選択図】図１
2006281694.tif 000002
【特許請求の範囲】
【請求項１】
カード読取装置と接触される側の表面における所定箇所に香料を載置し、所定量の香料分子が通過して徐放される様に該香料を載置した側の表面は平坦面となる様に被覆されていることを特徴とするカード。
【請求項２】
電子的な読取手段により読み取り可能な情報が記憶されている請求項１のカード。
【請求項３】
請求項１のカードの情報を読み取るためのカード読取装置において、前記カードに載置された香料と対応する位置にセンサを設け、該センサは１種類の香料のみに感応して検出信号を出力する様に構成されていることを特徴とするカード読取装置。
【請求項４】
前記香料以外のカードに記憶された情報を電子的に読み取る様に構成された電子的な読取手段を備えている請求項３のカード読取装置。
【請求項５】
表面の所定箇所に香料を載置し、所定量の香料分子が通過して徐放される様に該香料を載置した側の表面は平坦面となる様に被覆されているカードと、該カードを読み取るためのカード読取装置であって、前記カードに載置された香料と対応する位置にセンサを設け、該センサは１種類の香料のみに感応して検出信号を出力する様に構成されているカード読取装置と、カード読取装置のセンサからの検出信号に応答してカード読取装置に接触したカードが適正なカードであるか否かを判定する制御手段とを有していることを特徴とする認証システム。
【請求項６】
表面の所定箇所に香料を載置し、所定量の香料分子が通過して徐放される様に該香料を載置した側の表面は平坦面となる様に被覆されており、電子的な読取手段により読み取り可能な情報が記憶されているカードと、
該カードを読み取るためのカード読取装置であって、前記カードに載置された香料と対応する位置にセンサを設け、該センサは１種類の香料のみに感応して検出信号を出力する様に構成されており、前記香料以外のカードに記憶された情報を電子的に読み取る様に構成された電子的な読取手段を備えているカード読取装置と、
カード読取装置のセンサからの検出信号と、電子的な読取手段からの読取信号とに応答して、カード読取装置に接触したカードが適正なカードであるか否かを判定する制御手段、とを有していることを特徴とする認証システム。
【発明の詳細な説明】
【技術分野】
【０００１】
本発明は、カードの認証システム、より詳細にはカードが適正か否かを判定するシステムに関する。
【背景技術】
【０００２】
銀行における引出、購買に際しての代金支払の様な各種経済活動では、カードの利用が一般化している。また、鉄道の改札業務、各種建造物の入門規制等を自働化するに際しても、カード（鉄道の定期券を含む）の利用が一般的である。
これ等のカードにおいては、カード内部に情報が記憶されており、係る情報を読取手段（カードリーダー等）で電子的に読み取って、そのカードが適正か否かを判定している。
【０００３】
しかし、電子情報技術が進歩した反面、例えば「スキミング」と呼ばれる手口のように、電子情報読取技術を悪用する技術も高度化している。そして、電子情報読取技術を悪用して個々のカードに記憶された電子情報を読み取れば、カードの偽造が極めて容易に行われてしまい、適正なカード利用者に多大な不利益をもたらす事例が数多く見出されるようなった。
【０００４】
スキミングの様な、カードに記憶された情報を不正読取する手口に対して、集積回路（ＩＣチップ）を内蔵したカード、いわゆるＩＣカードであれば、セキュリティレベルが高く、係るＩＣカードを利用したシステムが、近年、種々提案されている（例えば、特許文献１参照）。
しかし、電子情報技術は極めて進歩の速度が速く、セキュリティレベルを向上しても直ちにそれを打ち破る読み取り手法が開発されており、いわゆる「いたちごっこ」となってしまっているのが実情である。
換言すれば、スキミングその他の情報の不正読取技術を電子技術により防止しても、犯罪者は当該防止技術を無効化する新技術を直ちに開発してしまうのである。
【特許文献１】特開２００４−７８３２６号公報
【発明の開示】
【発明が解決しようとする課題】
【０００５】
本発明は上述した従来技術の問題点に鑑みて提案されたものであり、電子技術を悪用しても内部に記憶されている情報を読み取って偽造することが困難なカードと、そのようなカードを読み取るのに用いられるカード読取装置と、係るカード及びカード読取装置を用いた認証システムの提供を目的としている。
【課題を解決するための手段】
【０００６】
本発明のカード（１）は、カード読取装置（カードリーダー２）と接触される側の表面における所定箇所に香料（香料チップ１３）を載置し、所定量の香料分子が通過して徐放される様に該香料を載置した側の表面は平坦面となる様に被覆されていることを特徴としている（請求項１）。
【０００７】
ここで、香料を被覆するに際しては表層部或いはフィルム（１４）が用いられ、該表層部或いはフィルム（１４）は、香料チップ（１３）から、香料の分子が徐放されることを許容する様に構成されているのが好ましい。より詳細には、当該表層部或いはフィルム（１４）は、後述するカード読取装置（２）側のセンサ（Ｓ１〜Ｓ４）が検出することが出来る程度に香料分子を徐放することが出来るが、その徐放量は、香料から徐放される香料分子が短期間で無くならない程度であることが好ましい。
【０００８】
また、本発明のカード読取装置（カードリーダー２）は、上述したカード（請求項１のカード１）の情報を読み取るためのカード読取装置において、前記カード（１）に載置された香料（香料チップ１３）と対応する位置にセンサ（Ｓ１〜Ｓ４）を設け、該センサ（例えば、薄膜センサ或いは酵素センサ等Ｓ１〜Ｓ４）は１種類の香料のみに感応して検出信号を出力する様に構成されていることを特徴としている（請求項３）。
【０００９】
そして、上述したカード（請求項１のカード１）及びカード読取装置（請求項３のカード読取装置２）を有する本発明の認証システムは、表面の所定箇所に香料（香料チップ１３）を載置し、所定量の香料分子が通過して徐放される様に該香料を載置した側の表面は平坦面となる様に被覆されているカード（１）と、該カード（１）を読み取るためのカード読取装置（２）であって、前記カード（１）に載置された香料（香料チップ１３）と対応する位置にセンサ（Ｓ１〜Ｓ４）を設け、該センサ（Ｓ１〜Ｓ４）は１種類の香料のみに感応して検出信号を出力する様に構成されているカード読取装置（２）と、カード読取装置（２）のセンサ（Ｓ１〜Ｓ４）からの検出信号に応答してカード読取装置（２）に接触したカード（１）が適正なカードであるか否かを判定する制御手段（コントロールユニット７）とを有していることを特徴としている（請求項５）。
【００１０】
本発明のカード（１Ａ）において、電子的な読取手段（２Ｍ）により読み取り可能な情報が記憶されているのが好ましい（請求項２）。
ここで、電子的な読取手段（２Ｍ）により読み取り可能な情報として、磁気的に読み取られた情報をも含むものとする。
【００１１】
本発明のカード読取装置（２Ａ）において、前記香料以外のカードに記憶された情報を電子的に読み取る様に構成された電子的な読取手段（２Ｍ）を備えているのが好ましい（請求項４）。
【００１２】
さらに、上述したカード（請求項２のカード１）及びカード読取装置（請求項４のカード読取装置２Ａ）を有する本発明の認証システムは、
表面の所定箇所に香料（香料チップ１３）を載置し、所定量の香料分子が通過して徐放される様に該香料を載置した側の表面は平坦面となる様に被覆されており、電子的な読取手段（２Ｍ）により読み取り可能な情報が記憶されているカード（１Ａ）と、
該カード（１Ａ）を読み取るためのカード読取装置（２Ａ）であって、前記カードに載置された香料（香料チップ１３）と対応する位置にセンサ（Ｓａ〜Ｓｃ）を設け、該センサ（Ｓａ〜Ｓｃ）は１種類の香料のみに感応して検出信号を出力する様に構成されており、前記香料以外のカードに記憶された情報を電子的に読み取る様に構成された電子的な読取手段（２Ｍ）を備えているカード読取装置（２Ａ）と、
カード読取装置（２Ａ）のセンサ（Ｓａ〜Ｓｃ）からの検出信号と、電子的な読取手段（２Ｍ）からの読取信号とに応答して、カード読取装置（２Ａ）に接触したカード（１Ａ）が適正なカードであるか否かを判定する制御手段（コントロールユニット７Ａ）とを有していることを特徴としている（請求項６）。
【００１３】
本発明の実施に際して、カードの香料とカード読取装置のセンサとの相対位置を常に適正に保ち、適正なカードであれば、香料チップ（１３）から徐放される香料分子が対応するセンサ（Ｓａ〜Ｓｃ）により確実に検出される様にするため（図１５参照）、カード読取装置（２Ｂ）にカード設置用ガイド（２Ｂａ）を設け、当該ガイド（２Ｂａ）によりカードの設置位置が所定位置に固定される様に構成するのが好ましい（図１４参照）。
【００１４】
そして本発明において、センサ温度を高くしてセンサの検出能力を向上させるため、カード読取装置（カードリーダー２Ｃ）側のセンサ周囲部に、加熱手段（例えば電気ヒーターＨ）を設けるのが好ましい（図１７参照）。
【００１５】
これに加えて本発明において、カードリーダー（２Ｄ）側に負圧を発生する機構（真空配管Ｌｖ１〜Ｌｖ６、Ｌｖ、真空ブロワ５０）を設け、カード（１）がカードリーダー（２Ｄ）に吸引されて、密着する様に構成し、以って、カード（１）に設けられた香料チップ（１３）から徐放される香料分子が直近のセンサ（Ｓａ〜Ｓｃ）に確実に検出され、隣接するセンサでは検出されない様にされているのが好ましい（図１８参照）。
【発明の効果】
【００１６】
上述する構成を具備する本発明によれば、適正なカード（１）に載置された香料としてカード読取装置（２）のセンサ（Ｓ１〜Ｓ４）が感応する香料を選択すれば、センサ（Ｓ１〜Ｓ４）は徐放された香料分子を検出して検出信号を出力する。その結果、当該香料を載置したカード（１）が適正なカードとして判定することが出来る。
勿論、ダミーの香料を設けることも可能である（図６、図７参照）。
【００１７】
ここで、電子情報技術等のいわゆる「ドライ系」の技術では、香料のような「ウェット系」の解析は不可能である。そして既存の電子技術では、香りに関する情報を捏造、偽造することは不可能である。従って、電子情報技術が如何に進歩したとしても、本発明のカードに被覆された香料を分析することは困難であり、ましてや、かかる香料を調合してカードを偽造することは全く不可能である。
すなわち、本発明によれば、電子情報読取技術を悪用した「スキミング」その他の手口で偽造することが不可能なカードを提供することが出来るのである。そして、当然の事ながら、スキミング等の手口では、本発明のカード読取装置や認証システムを誤魔化すことは出来ないのである。
【００１８】
本発明において、カード（１Ａ）に電子的な読取手段（２Ｍ）により読み取り可能な情報が記憶されており（１Ａａ）（請求項２）、カード読取装置（２Ａ）はカード（１Ａ）に記憶された（前記香料以外の）情報（１Ａａ）を電子的に読み取る読取手段（２Ｍ）を備えており（請求項４）、認証システムでは、香料分子と感応したか否かを示す（カード読取装置のセンサからの）検出信号と、電子的な読取手段（２Ｍ）からの読取信号とに応答して、カード読取装置（２Ａ）に接触されたカード（１Ａ）が適正なカードであるか否かを判定する様に構成すれば（請求項６）、上述した同様に、認証に香りを用いているので、「スキミング」その他の電子情報読取技術を悪用する技術に対処することが出来るのに加えて、いわゆる「ウェット系」の技術を用いて「香料」を解析、特定できたとしても、その様な「ウェット系」の技術設備では既存の電子情報を読み取ることが出来ない。
【００１９】
換言すれば、香りの情報と既存の電子情報読取技術とを併用すれば、香りを解析するための設備と既存の電子情報読取技術設備とを同時に準備しない限り、カードの偽造が不可能である。それに加えて、いわゆる「ドライ系」の技術に属する電子情報読取技術と、いわゆる「ウェット系」の技術に属する香りに関する技術とは、技術分野が全く相違しているので、両方の設備を併せ持つことは困難である。
すなわち、香りの情報と既存の電子情報読取技術とを併用した本発明（請求項２、請求項４、請求項６）によれば、カード（１Ａ）を偽造することがさらに困難なカード及びそれを用いたシステムを提供することが出来る。
【発明を実施するための最良の形態】
【００２０】
以下、添付図面を参照して、本発明の実施形態について説明する。
【００２１】
先ず、図１〜図９を参照して本発明の第１実施形態を説明する。
図１は第１実施形態に係るカードを用いた認証システムを利用したゲート開閉機構を示す。
【００２２】
図1において、当該ゲート開閉機構は、第1実施形態に係るカード１の情報を読取るカードリーダー２と、当該カード１を所持する人間Ｐが当該カード１でカードリーダー２を操作することにより開閉するゲート３と、そのゲート３を開閉操作するアクチュエータ４と、そのアクチュエータ４に流体圧（例えば、圧縮空気）を供給する圧力流体源（例えば、エアタンク）５と、流体供給ラインＬａ１、Ｌａ２、流体排出ラインＬｘと、流体供給ラインＬａ１、Ｌａ２及び流体排出ラインＬｘの交点に介装された三方弁６と、カードリーダー２で読取った情報に基づいてその三方弁６の開閉制御を行うコントロールユニット７とから構成されている。
【００２３】
カードリーダー２はセンサＳ１〜Ｓ４を備えている。そのセンサＳ１〜Ｓ４は、特定の単一の香料のみに反応して、検出信号を出力する様に構成されている。
このようなタイプのセンサとしては、例えば、いわゆる「薄膜」タイプのセンサや、酵素を用いたタイプのセンサを利用可能である。特に「薄膜」タイプのセンサは、「ｐｐｂ」レベルの濃度まで検出可能であるため、後述するように、徐放された香料の分子を確実に検出して、検出信号を出力することが出来る。
【００２４】
カード１は、図１に断面を示すように、基盤１１上で、カード１表面のカードリーダー２と接触する側には香料のチップ１３を埋め込むための凹部１２が形成され、その凹部１２の中に香料のチップ１３が埋め込まれている。そして香料のチップ１３を埋め込んだ上でカードのカードリーダー２と接触する側全体が表層部或いはフィルム１４で被覆されている。この香料のチップ１３を被覆する表層部或いはフィルム１４には、香料チップ１３から、香料の分子が徐放されることを許容する程度の微細孔１５が形成されている。
【００２５】
ここで、当該微細孔１５は、センサＳ１〜Ｓ４が香料の分子を検出することが出来る程度の数の香料分子を徐放する程度に大きく、香料チップ１３から徐放される香料分子が短期間で無くならない程度に小さいことが好ましい。
換言すれば、前記微細孔１５が小さ過ぎると、香料チップ１３から徐放される香料分子をセンサＳ１〜Ｓ４が検出することが出来なくなってしまい、前記微細孔１５が大き過ぎると、早い時期に香料チップ１３から香料分子が徐放されなくなってしまうので、識別手段としてのカード１の寿命が短縮化してしまう、という不都合がある。
【００２６】
香料チップ１３として選択される香料は、種々のものが可能である。偽造防止の観点から、人間の嗅覚で検知し難いものが好適である。
また、香料チップ１３をカード１の基盤１１に埋め込むにあたって、香料分子を徐放する期間が、カード１の使用期間として十分な程度に長期となる様に、徐放量を抑制して構成するのが好ましい。
【００２７】
図１に戻り、カードリーダー２には、カード１自体がカードリーダー２に接触されたことを検出する接触センサ（以降、接触センサをカード検出センサという）２１が設けられている。
偽造されたカードがカードリーダー２０に接触された場合に、当該カード１には香料チップが埋め込まれていないことが想定される。そのような場合、カード１自体がカードリーダー２に接触されたことを検出する接触センサ２１を設けていないと、センサＳ１〜Ｓ４は検出信号を発生しないので、コントロールユニット７は、カードリーダー２にカード１が接触されていない状態と判別することが出来ないからである。
【００２８】
ここで、カード１がカードリーダー２と接触した際に、香料チップ１３の位置がカードリーダー２側の各センサＳ１〜Ｓ４の位置と合致する必要がある。換言すれば、香料チップ１３から徐放される香料粒子が、対応するセンサＳ１〜Ｓ４で確実に検出される程度の精度を有していることが必要である。
【００２９】
なお、図１において、ゲート３の開閉は、コントロールユニット７からの開閉制御信号を受けた三方弁６の開閉作動により、流体圧を用いて行われているが、その他の方式を用いても良い。
例えば、ゲート３の開閉は流体圧以外の機械的手段を用いることや、磁力を用いることも可能である。その場合、コントロールユニット７からの制御信号は、バルブの開閉信号に代えて、機械的手段や磁力手段の制御信号となる。
【００３０】
図１では、前述したように、カード１の基盤１１におけるカードリーダー２と接触する側の表面に複数の凹部１２を形成し、当該凹部１２内に香料チップ１３を挿入してその上からフィルム１４で被覆しているが、図２で示す様に、カードリーダー２と接触する側の表面に香料チップ１３を載置して、その状態で、被覆層或いはフィルム１４を被覆しても良い。製造工程を減少して製造コストを下げるという観点からは、図２の手法の方が好適である。
この場合、香料チップ１３がカード１の基盤１１上に載置されて被覆された後に、香料チップ１３の位置がカードリーダー２側の各センサＳ１〜Ｓ４の位置から外れてしまうことを防止するため、香料チップ１３の形態は、カード基盤１１上に載置された際に移動し難い形態とすることが好ましい。
【００３１】
図1において符号Ｌｉはカード検出センサ２１とコントロールユニット7を接続する信号ラインを、符号Ｌｉｓは各香りセンサとコントロールユニット７を接続する信号ラインを示す。
【００３２】
図３は、図１に置けるコントロールユニット７の詳細を示すブロック図である。以下、図３を参照してコントロールユニット７の詳細構成について説明する。
【００３３】
コントロールユニット７は、カードリーダー２のカード検出センサ２１からの情報をラインＬｉによって受信するインターフェース７１と、カードリーダー２０の各センサＳ１〜Ｓ４に対応しカードリーダー２の各センサＳ１〜Ｓ４からの情報を受信するセンサ別のインターフェース７２１〜７２４とを有している。
【００３４】
また、コントロールユニット７は、各センサ別インターフェース７２１〜７２４で受信した情報をラインＬ１１〜Ｌ１４によって受け、閾値と比較する比較手段７３１〜７３４と、各比較手段７３１〜７３４から比較結果をラインＬ２１〜Ｌ２４によって受け、それらの情報を総合的に判断して認証の可否を判定する認証判定手段７４とを有している。
【００３５】
更に、コントロールユニット７は、前記閾値を記憶したデータベース７５と、認証判定手段７４で判定した結果をラインＬ４で受信し、その判定結果に基づき、前記三方弁６に開閉制御信号を発信する三方弁開閉制御信号発生手段７６とを有している。
【００３６】
データベース７５はラインＬ３０、Ｌ３１〜Ｌ３０、Ｌ３４によって各比較手段７３１〜７３４と接続され、閾値（例えば、センサＳ１に対応する香料１２が単位時間に検出される所定量）を各比較手段７３１〜７３４に提供する。また、データベース７５はラインＬ３５によって認証判定手段７４とも接続され、判定基準値（例えば全てのセンサからの検出量が、全てのセンサにおける閾値を満たしている値）を認証判定手段７４に提供する。
【００３７】
認証判定手段７４で行われる判定では、図４の判定基準及び図６の判定方法で示す様に、全てのセンサＳ１〜Ｓ４が、対応する香料分子を検出して検出信号を出力した場合のみ、適正のカードと判定する。
【００３８】
すなわち、図４に示す判定基準では、カード１側の香りＡのチップＣ１、香りＢのチップＣ２、香りＣのチップＣ３、香りＤのチップＣ４に対応するカードリーダー２０側のセンサは、香りＡのみを検出するセンサＳ１、香りＢのみを検出するセンサＳ２、香りＣのみを検出するセンサＳ３、香りＤのみを検出するセンサＳ４であり、該当する各センサでの検出結果全てが所定量（閾値）以上検出している場合（検出結果は全て○）にのみ認証する様に構成されている。
【００３９】
図５に基づいて、図４の判定基準の場合の判定制御方法を説明する。
先ず、ステップＳ１において、コントロールユニット７０は、カード検出用センサ２１によってカード１を検出した信号があったか否かを監視しており、カード検出の場合（ステップＳ１のＹＥＳ）、ステップＳ２に進み、各センサＳ１〜Ｓ４からの信号を読み取り、更にデータベース７５からの閾値を読取る。
【００４０】
ステップＳ３においては、コントロールユニット７の各比較手段７３１〜７３４において、各センサＳ１〜Ｓ４の全てで検出した検出信号の値が各閾値以上であるか否かを判断する。各センサＳ１〜Ｓ４の全てで検出した検出信号の値が各閾値以上である場合（ステップＳ３のＹＥＳ）は、ステップＳ４に進み、一方、閾値未満の出力センサがある場合（ステップＳ３のＮＯ）は、ステップＳ５に進む。
【００４１】
ステップＳ４では、適正なカードと判定して、図示では示していないが、前述のゲート３０を開く様に三方弁６に制御信号を送った後、制御を終了する。
一方、ステップＳ５では、操作中のカードは不適正と判断し、前述のゲート３０を閉じる様に三方弁６に制御信号を送った後、制御を終了する。
【００４２】
ここで、その他の判定の手法として、例えば、特定のセンサのみは検出信号を出力せず、その他のセンサは検出信号を出力する場合のみが、「適正なカード」と判定される様に構成しても良い。
係る制御は図６の判断基準及び図７の制御フローチャートで示されている。
【００４３】
すなわち、図６に示す判定基準では、図４で示した判定基準に対して、カード１のセンサ側において、チップＣ３のみが香り無しのチップ、所謂、ダミーチップが埋め込まれている。判定基準としては、図６の表の検出結果欄に示す如く、Ｓ１〜Ｓ４の結果が、○○×○の組合せの場合にのみ認証する様に構成されている。
【００４４】
図７に基づいて、図６の判定基準の場合の判定制御方法を説明する。
先ず、ステップＳ１１においてコントロールユニット７は、カード検出用センサ２１によってカード１を検出した信号があったか否かを監視しており、カード検出の場合（ステップＳ１１のＹＥＳ）、ステップＳ１２に進み、各センサＳ１〜Ｓ４からの信号を読み取り、更にデータベース７５からの閾値を読取る。
【００４５】
ステップＳ１３では、コントロールユニットの各比較手段７３１〜７３４において、各センサＳ１〜Ｓ４の検出信号と各閾値の値とを比較し、各検出信号が閾値以上である場合○とした場合と、検出信号が閾値未満の場合の×とした場合の各センサＳ１〜Ｓ４と検出結果の○、×の組合せ（図６の例では○○×○）を決定する。
【００４６】
次のステップＳ１４では、上記ステップＳ１３の組合せ（例えば、○○×○）がカード１０に登録されているか否かを判断する。登録されていれば（ステップＳ１４のＹＥＳ）、ステップＳ１５に進み、登録されていなければ（ステップＳ１４のＮＯ）、ステップＳ１６に進む。
【００４７】
ステップＳ１５では、適正なカードと判定して、図示では示していないが、前述のゲート３を開く様に三方弁６に制御信号を送った後、制御を終了する。
一方、ステップＳ１６では、操作中のカードは不適正と判断し、前述のゲート３を閉じたままとする様に三方弁６に制御信号を送った後、制御を終了する。
【００４８】
図６の判定方法及び図７のフローチャートで示されている制御によれば、例えば、カード偽造者が香料或いは匂いが真偽判定に寄与していることに気がついた場合に、カードリーダー２側では、ダミーの香料チップ（常にセンサに反応しない香料）を混ぜることによって、偽造を困難にする効果がある。
すなわち、或カードが紛失した場合に、紛失したカードを偽造者が使うことを想定して、図６の判定方法及び図７の制御フローチャートで香料チップＣ３と反応するセンサＳ３をカードリーダー２に取り付ける。その結果、カード偽造者が紛失したカード１を偽造したものをカードリーダー２に接触させれば、センサＳ３が検出信号を出力する（図６で「○」となる）ため、認証判定手段は「不適正なカード」と判定するのである。
【００４９】
図８は、図１におけるゲート３の周辺であって、ゲート開閉機構３００とカード認証処理機構２００を配置した領域のレイアウト例の詳細を示した平面図である。
【００５０】
図８において、カード認証処理機構２００は、図示の例では、一方が壁面Ｗの通路Ｃに沿って延在するカウンター２１０の入口部分２１１にカード挿入口２１２が形成されており、そのカード挿入口２１２の近傍に前記カード検出センサ２１が設置されている。カード検出センサ２１は後述のカード搬送手段２１３の作動スイッチとしての作用を奏する。
【００５１】
カウンター２１０の内部は、カード挿入口２１２から所定の長さのカード搬送手段（例えば、挿入口から内部方向に向って図示しないベルトコンベアが作動するカード用搬送路）２１３が組込まれており、搬送路２１３の最深部に前記カードリーダー２が設置してある。
【００５２】
カードリーダー２のその先には、カード１をカードリーダー２の所定の位置に停止させるためのカードストッパー８が設けられている。そのカードストッパー８は、カードストッパー用アクチュエータ（例えばエアシリンダ）９によって伸張・縮退が操作される。カードストッパー８は、挿入されたカード１とカードリーダー２との相対位置を適正せしめるために設けられている。図１５及び図１６に関連して後述する様に、適正なカード１であっても、カードリーダー２に対する相対位置が適正ではないと、カードリーダー２に設けたセンサＳ１〜Ｓ４が対応する香料チップ１３以外の香料チップの香料分子を検出してしまい、コントロールユニット７が「不適正なカードである」と判定してしまう恐れが存在するからである。
【００５３】
カードストッパー８の後方（図示の下方）でカウンター２１０の後端２１４にはカード取り出し口２１５が設けられ、カード取り出し口２１５の近傍にはカードが取り出されたことを検知するカード排出センサ２２が設置されている。カード排出センサ２２はカード搬送手段２１３の停止スイッチとして作用する。
【００５４】
前述したように、ゲート開閉用アクチュエータ４には、エアタンク５からエア供給ラインＬａ１、Ｌａ２を介して圧縮空気が供給され、エア供給ラインＬａ１、Ｌａ２の接続部に前記三方弁６が介装されている。
又、カードストッパー用アクチュエータ９にはエアタンク５からラインＬａ１、Ｌａ３、Ｌａ４を介して圧縮空気が供給され、エア供給ラインＬａ３、Ｌａ４の接続部に前記とは別の三方弁６０が介装されている。
【００５５】
前記ゲート操作用の三方弁６Ａ及びカードストッパー用の三方弁６０は夫々制御信号ラインＬｏａ、Ｌｏｂによってコントロールユニット７に接続されている。
又、カード搬送手段２１３はコントロールユニット７と制御信号ラインＬ２１３で接続され、カード検出センサ２１、カード排出センサ２２は夫々信号ラインＬ２１．Ｌ２２でコントロールユニット７と接続されている。図８において符号Ｌｉｓは前述した様にカードリーダー２とコントロールユニット７とを接続する信号ラインを示している。
以下、図９に基づいて、カード認証（非認証も含む）に伴うカード処理及び、ゲート３の開閉制御について説明する。
【００５６】
先ず、カード検出センサ２１がカードを検出するまで待機しており（ステップＳ２１）、検出したら（ステップＳ２１のＹＥＳ）、ステップＳ２２に進み、コントロールユニット７はカード搬送手段２１３を作動させる。
【００５７】
次のステップＳ２３では、カードストッパー用アクチュエータ９を伸張させ、カード搬送手段２１３を停止させる。すると、投入したカード１はカードリーダー２の所定の位置で停止し、センサＳ１〜Ｓ４を用いた判定を行う（ステップＳ２４）。
【００５８】
次のステップＳ２５では判定が終了したか否かを監視しており、判定が終了したなら（ステップＳ２５のＹＥＳ）、次のステップＳ２６に進む。判定が終了していないなら（ステップＳ２５のＮＯ）、再びステップＳ２４以降を繰り返す。
【００５９】
ステップＳ２６では、コントロールユニット７はカードが適正か否かを判断して、適正であれば（ステップＳ２６のＹＥＳ）、ステップＳ２７に進み、適正でなければ（ステップＳ２６のＮＯ）、ステップＳ３０に進む。
【００６０】
ステップＳ２７では、ゲート開閉用アクチュエータ４を作動させ、ゲート３を開放し、次に、フローチャートにか記述していないが、カード所持者がゲート３と通過したことを、例えば図示しない赤外線センサで感知し、カード搬送手段２１３を再び前進方向に操作させ、カード取り出し口２１４からカード１を取り出す（ステップＳ２８）。ステップＳ２９では、カード排出センサ２２によりカード取出しを検知し、その後、カード搬送手段２１３を停止させて制御を終了する。
【００６１】
ステップＳ３０では、カード搬送手段２１３を逆転させ、カード１をバックさせ、挿入口２１２よりカード１を排出する。次のステップＳ３１では、カード検出センサ２１によりカードの挿入口２１２からの取り出しを検知し、その後、カード搬送手段２１３の逆転を停止させて制御を終了する。
【００６２】
現在、電子情報の読取技術が大変進歩しているが、例えば「スキミング」と呼ばれる手口のように、電子情報読取技術を悪用する技術も高度化している。
しかし、図１〜図９の第１実施形態では、香りについて偽造しない限り、偽造したカードを適正なカードであると御判定させることは出来ない。そして、よく知られている様に、既存の電子技術では香りに関する情報を捏造、偽造することは不可能である。
すなわち、本発明の第１実施形態によれば、電子情報読取技術を悪用した「スキミング」その他の手口で偽造することが不可能なカードを提供することが出来るのである。
【００６３】
次に、図１０〜図１３を参照して本発明の第２実施形態を説明する。
図１〜図９の第１実施形態で用いられるカード１は香料チップが埋め込まれており、カードリーダー２或いは認証システムは、香料が適正なものであるか否かのみでカード１が適正であるか否かを判定している。
これに対して、図１０〜図１３の第２実施形態では、既存の電子的な認証（磁気的に測定された情報による認証も含む）と、香による認証とを組み合わせている。
【００６４】
図１０、図１１において、第２実施形態で用いられるカード１Ａは、既存の各種カードのように電子的な判定を可能とする情報が表示（或いは記憶）された部分１Ａａと、香の情報が記憶されている部分１Ａｂとを有している。
【００６５】
すなわち、「電子的な判定を可能とする情報が記憶された部分」１Ａａについては、従来、公知の方式がそのまま適用されて、電子的な情報が記憶されて読み取り可能に構成されている。
【００６６】
一方、「香の情報が記憶されている部分」１Ａｂは、図１〜図９の第１実施形態と同様に、当該部分には香料チップ１３が埋め込まれている。ここで、香料チップ１３の埋め込みの態様は、図１１で示す様に、カード基盤１１上に香料チップ１３が載置された状態で被覆層或いはフィルム１４で被覆されていても良く、或いは、カード基盤に凹部を形成し、当該凹部内に香料チップ１３を配置して被覆しても良い。
【００６７】
図１２は、図１０、図１１で示す様なカード１Ａを用いた認証システムをブロック図として表現している。以下、図１２に基づいて、認証システムの構成について説明する。
【００６８】
第２実施形態に係る認証システムは、図１２において、電子情報読取手段としてのカードリーダー２Ｍと香料センサＳａ〜Ｓｃとを用いた香り検知部２Ｓとから成る読み取り手段２Ａと、コントロールユニット７Ａと、表示手段であるモニタ７７とを有している。
【００６９】
コントロールユニット７Ａは、香料センサＳａ〜Ｓｃからの情報を受け継ぐインターフェース７２Ａと、インターフェース７２Ａからの情報により、たとえば、香りの種類や香りの量を解読する香り情報解読手段７８と、カードリーダー２Ｍからの情報を受け継ぐインターフェース７２Ｂと、インターフェース７２Ｂからの情報により、電子情報を解析する電子情報解析手段７９と、判定手段７３Ａ、データベース７５Ａとから構成されている。ここで、電子情報を解析する電子情報解析手段７９は、公知・市販の部材をそのまま転用することが可能である。
【００７０】
次に図１３に基づいて、第２実施形態の認証判定制御の方法を説明する。
先ずステップＳ４１において、コントロールユニット７Ａは、カードリーダー２Ｍによって電子情報を、香り検知部２Ｓによって香り情報を読取り、ステップＳ４２に進む。
【００７１】
ステップＳ４２では、読み取りが完了するまで待機しており、読み取りが完了したなら（ステップＳ４２のＹＥＳ）、データベース７５Ａから取り出した正規の電子情報及び正規の香り情報と比較する（ステップＳ４３）。
【００７２】
次のステップＳ４４では、コントロールユニット７Ａの判定手段７３Ａにおいて、電子情報及び香り情報がともに適正であるか否かを判断しており、適正であれば（ステップＳ４４のＹＥＳ）、適正なカードと判断して（ステップＳ４５）制御を終了する。一方、適正でないなら（ステップＳ４４のＮＯ）、不適正なカードと判断して制御を終了する。
【００７３】
図１２及び図１３において、電子情報読取手段であるカードリーダー２Ｍで読み取られた電子情報と、香り情報読取手段である香り検知部２Ｓで検出した香りに関する信号とが、共に適正である場合のみ、「カードが適正」と判断されるが、先ず電子情報について適正か否かを判定してから香りに関する情報の適否を判定しても良いし、或いは、それとは逆に、先ず香りに関する情報が適正か否かを反対してから、電子情報の適否を判定しても良い。
また、明確に図示はされていないが、電子情報と香りに関する情報とが、同時に読取手段で読み取られて、同時に適否が判定されて、両者とも適正な場合に「カードが適正」と判定する様に構成しても良い。
【００７４】
上述した第１実施形態の場合と同様に、図１０〜図１３の第２実施形態においても、認証に香りを用いているので、「スキミング」その他の電子情報読取技術を悪用する技術に対処することが出来る。
特に、第２実施形態では、仮に香りについて特定できたとしても、香りを特定するための設備では既存の電子情報を読み取ることが出来ない。
換言すれば、図１０〜図１３の第２実施形態では、既存の電子情報読取技術と、香りを解析するための設備とを同時に準備しない限り、カードの偽造が不可能であるが、電子情報読取技術と香りを解析するための技術とは、技術分野が全く相違しているので、両方の設備を併せ持つことは困難である。
すなわち、本発明の第２実施形態によれば、カードを偽造することがさらに困難なカード及びそれを用いたシステムを提供することが出来る。
【００７５】
次に、図１４〜図１６を参照して、本発明の第３実施形態を説明する。
【００７６】
カードとカードリーダーのセンサとの相対位置がずれると、適正なカードであっても、図１６で示す様に、香料チップ１３とセンサＳａ〜Ｓｃとの相対位置もずれてしまう。その結果、適正なカードを用いたとしても、各センサＳａ〜Ｓｃに最も近接しているのは別の香料チップとなり、各センサＳａ〜Ｓｃは検出信号を発生せず、「不適正なカード」であるとの誤判断を行ってしまう。
【００７７】
これに対して、図１４で示す様にカードリーダー２Ｂにカード設置用ガイド２Ｂａを設ければ、図１５に示すように、当該ガイド２Ｂａによりカード１の設置位置が所定位置、即ちカードリーダー２ＢのセンサＳａ〜Ｓｃに対応した位置に固定されるので、カード１の香料チップ１３とセンサＳａ〜Ｓｃとの相対位置が常に適正に保たれ、適正なカードであれば、香料チップ１３から徐放される香料分子が、対応するセンサにより確実に検出される。
即ち、カード設置用ガイド２Ｂａはカードが無理なく載置できる面積を囲った、いわゆる堤状の縁である。
そのような構造のカード設置用ガイド２Ｂａを設けることにより、図１６で示す場合のような誤判断の発生が防止される。
第３実施形態のその他の構成及び作用効果については、図１〜図９で示す第1及び第２実施形態と同様である。
【００７８】
次に、図１７を参照して本発明の第４実施形態を説明する。
【００７９】
センサの感応性能は、センサ温度が高いほど向上する傾向があることが知られている。
図１７の第４実施形態は、係る性質を利用して、センサの検出能力を向上させたものである。すなわち、カードが適正か否かを判定するに際して、カードリーダー２Ｃ側に設けられたセンサＳａ〜Ｓｃの周囲に加熱手段（例えば電気ヒーター）Ｈを設け、これらのヒータＨを電源ラインＬｅで直列に電源Ｅと接続し、電源Ｅから電流を流すことによって、加熱手段Ｈによりセンサ温度を上昇させ、以って、センサの検出能力を向上させている。
【００８０】
第４実施形態におけるその他の構成及び作用効果については、第１実施形態〜第３実施形態と同様である。
【００８１】
次に、図１８を参照して、本発明の第５実施形態を説明する。
【００８２】
上述した各実施形態において、カードが適正か否かを正確に判定するためには、カードに設けられた香料チップから徐放される香料分子が、直近のセンサに確実に検出され、隣接するセンサでは検出されない様にする必要がある。
【００８３】
そのため、図１８の第５実施形態では、カードリーダー２Ｄ側に負圧を発生する機構を設け、カードがカードリーダーに吸引されて、密着する様に構成されている。
【００８４】
図１８において、カードリーダー２Ｄにおけるカード1を載置する面側には、第２実施形態（図１４参照）と同様なカード設置用ガイド２Ｄａを設けている。
そのガイド２Ｄａに囲まれカードを載置する面２Ｄｆにはカード１の香りチップ１３を挟む位置に各１対ずつ吸引孔２Ｄｂ（図示の例では総計６箇所）が形成されている。
【００８５】
各吸引孔は真空ラインＬｖ１〜Ｌｖ６、及び真空ラインＬｖ１〜Ｌｖ６の合流した真空ラインＬｖによって真空ポンプ又は真空ブロワ５０に接続されている。
【００８６】
その様に構成された第５実施形態では、真空ブロワ５０を稼動させることによって、カード１は強制的にカードリーダー２Ｄのカード載置面２Ｄｆに吸引される。したがって、カードに設けられた香料チップから徐放される香料分子が、直近のセンサに確実に検出され、隣接するセンサでは検出されない。
【００８７】
第５実施形態におけるその他の構成及び作用効果については、第１実施形態〜第４実施形態と同様である。
【００８８】
図示の実施形態はあくまでも例示であり、本発明の技術的範囲を限定する趣旨の記述ではない。
例えば、図示の実施形態では、カードの表面に３〜４個の香料チップが載置されているが、載置するべき香料チップの個数はこれに限定されるものではなく、単一の香料チップであっても、２個或いは５個以上であっても良い。
【図面の簡単な説明】
【００８９】
【図１】本発明の第１実施形態に係る認証システム全体の構成を示す模式図。
【図２】第１実施形態に係る認証システムのカードの構成を示す断面図。
【図３】第１実施形態に係る制御手段の構成を示すブロック図。
【図４】第１実施形態に係る第１の判定基準を表に纏めた図。
【図５】第１の実施形態係り第１の判定基準に基づく判定制御を示したフローチャート。
【図６】第１実施形態に係る第２の判定基準を表に纏めた図。
【図７】第１の実施形態係り第２の判定基準に基づく判定制御を示したフローチャート。
【図８】第１実施形態のゲートの周辺であって、ゲート開閉機構とカード認証処理機構を配置した領域のレイアウト例の詳細を示した平面図。
【図９】第１実施形態に係りカード処理制御及びガイド開閉制御の方法を説明するフローチャート。
【図１０】本発明の第２実施形態に係るカードの斜視図。
【図１１】第２実施形態に係るカードの断面図。
【図１２】第２実施形態に係る制御系の構成を説明するブロック図。
【図１３】第２実施形態に係る制御制御方法を説明するフローチャート。
【図１４】本発明の第３実施形態に係るカードリーダーの斜視図。
【図１５】第３実施形態のカードの使用方法を示した説明図。
【図１６】カードをカードリーダーに載置する場合に不適切な位置に載置した状態を示した様態図。
【図１７】本発明の第４実施形態に係るカードリーダーの断面図。
【図１８】本発明の第５実施形態に係るカードリーダーにカードを載置した状態を示した様態図。
【符号の説明】
【００９０】
１，１Ａ・・・カード
２，２Ａ，２Ｂ，２Ｃ，２Ｄ・・・カードリーダー
３・・・ゲート
４・・・ゲート開閉用アクチュエータ
５・・・圧力流体源／エアタンク
６・・・三方弁
７・・・制御手段
８・・・カードストッパー
９・・・カードストッパー用アクチュエータ
１１・・・基盤
１３・・・香料チップ
１４・・・フィルム
１５・・・
２１・・・カード検出センサ
２２・・・カード排出センサ
７３１〜７３４・・・比較手段
７４・・・認証判定手段
【図１】
2006281694.tif 000003
【図２】
2006281694.tif 000004
【図３】
2006281694.tif 000005
【図４】
2006281694.tif 000006
【図５】
2006281694.tif 000007
【図６】
2006281694.tif 000008
【図７】
2006281694.tif 000009
【図８】
2006281694.tif 000010
【図９】
2006281694.tif 000011
【図１０】
2006281694.tif 000012
【図１１】
2006281694.tif 000013
【図１２】
2006281694.tif 000014
【図１３】
2006281694.tif 000015
【図１４】
2006281694.tif 000016
【図１５】
2006281694.tif 000017
【図１６】
2006281694.tif 000018
【図１７】
2006281694.tif 000019
【図１８】
2006281694.tif 000020
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
カード読取装置で読取られるカードにおいて、カード読取装置（２、２Ａ、２Ｂ、２Ｃ、２Ｄ）と接触される側の表面の所定箇所に、香料（１３）が載置されてその香料（１３）は所定量の香料分子が通過して徐放される様にフィルム（１４）で被覆されそして香料の情報が記憶されている部分（１Ａｂ）と、電子的な読取手段により読み取り可能な情報が記憶された部分（１Ａａ）とが設けられていることを特徴とするカード。
【請求項２】
表面の所定箇所に複数の香料（１３）が載置されてその香料の  香料分子が通過して徐放される様にフィルム（１４）で被覆されているカードのカード読取装置において、カード（１）を所定位置に設置するためのカード設置用ガイド（２Ｂ）を有し、カード（１）が所定位置に設置されたときにカード（１）の香料（１３）と対応する位置にセンサ（Ｓａ〜Ｓｃ）を有しており、該センサ（Ｓａ〜Ｓｃ）は一種類の香料（１３）のみに感応して検出信号を出力するものであることを特徴とするカード読取装置。
【請求項３】
表面の所定箇所に複数の香料（１３）が載置されてその香料（１３）の香料分子が通過して徐放される様にフィルム（１４）で被覆されているカード（１）のカード読取装置（１１）による認証システムにおいて、そのカード読取装置（１１）は前記カード（１）に載置された香料（１３）と対応する位置にセンサ（Ｓ１〜Ｓ４）を有し、そのセンサ（Ｓ１〜Ｓ４）は一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の全ての検出信号が閾値以上であるか否かを判断し、ＹＥＳの場合はカードが適正であると判定する機能を有することを特徴とする認証システム。
【請求項４】
表面の所定箇所に複数の香料（１３）が載置されてその香料（１３）の香料分子が通過して徐放される様にフィルム（１４）で被覆されているカード（１）のカード読取装置（１１）による認証システムにおいて、そのカード読取装置（１１）は前記カード（１）に載置された香料（１３）と対応する位置にセンサ（Ｓ１〜Ｓ４）を有し、そのセンサ（Ｓ１〜Ｓ４）は一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の検出信号と閾値とを比較してその検出信号と閾値との以上、未満の組合せを求め、組合せが登録されていればカードは適正であると判定する機能を有することを特徴とする認証システム。
【請求項５】
表面の所定箇所に複数の香料（１３）が載置されている様にフィルム（１４）で被覆されているカードのカード読取装置（２Ａ）による認証システムにおいて、そのカード（１Ａ）にはさらに電子的な読取手段により読み取り可能な情報が記憶されている部分（１Ａａ）を有し、前記カード読取装置はカード（１Ａ）に載置されて香料（１３）と対応する位置に設けたセンサ（Ｓａ、Ｓｂ、Ｓｃ）と、前記香料（１３）の外にカード（１Ａ）に記憶された情報に対応する電子的に読み取る読取手段（２Ｍ）とを有し、そして前記カード読取装置（２Ａ）のセンサ（Ｓａ、Ｓｂ、Ｓｃ）からの検出信号と、電子的な読取手段（２Ｍ）からの読取信号とに応答してカードが適正であるか否かを判定する制御手段（７Ａ）を備え、その制御手段（７Ａ）は電子情報と香り情報とを読み取ると、正規の電子情報および正規の香り情報とを比較してカードが適正であるか否かを判定する機能を有することを特徴とする認証システム。
【手続補正２】
【補正対象書類名】明細書
【補正対象項目名】０００６
【補正方法】変更
【補正の内容】
【０００６】
本発明によれば、カード読取装置で読取られるカードにおいて、カード読取装置（２、２Ａ、２Ｂ、２Ｃ、２Ｄ）と接触される側の表面の所定箇所に、香料（１３）が載置されてその香料（１３）は所定量の香料分子が通過して徐放される様にフィルム（１４）で被覆されそして香料の情報が記憶されている部分（１Ａｂ）と、電子的な読取手段により読み取り可能な情報が記憶された部分（１Ａａ）とが設けられている。
【手続補正３】
【補正対象書類名】明細書
【補正対象項目名】０００７
【補正方法】変更
【補正の内容】
【０００７】
そして本発明によれば、表面の所定箇所に複数の香料（１３）が載置されてその香料の  香料分子が通過して徐放される様にフィルム（１４）で被覆されているカードのカード読取装置において、カード（１）を所定位置に設置するためのカード設置用ガイド（２Ｂ）を有し、カード（１）が所定位置に設置されたときにカード（１）の香料（１３）と対応する位置にセンサ（Ｓａ〜Ｓｃ）を有しており、該センサ（Ｓａ〜Ｓｃ）は一種類の香料（１３）のみに感応して検出信号を出力するようになっている。
【手続補正４】
【補正対象書類名】明細書
【補正対象項目名】０００８
【補正方法】変更
【補正の内容】
【０００８】
また本発明によれば、表面の所定箇所に複数の香料（１３）が載置されてその香料（１３）の香料分子が通過して徐放される様にフィルム（１４）で被覆されているカード（１）のカード読取装置（１１）による認証システムにおいて、そのカード読取装置（１１）は前記カード（１）に載置された香料（１３）と対応する位置にセンサ（Ｓ１〜Ｓ４）を有し、そのセンサ（Ｓ１〜Ｓ４）は一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の全ての検出信号が閾値以上であるか否かを判断し、ＹＥＳの場合はカードが適正であると判定する機能を有している。
【手続補正５】
【補正対象書類名】明細書
【補正対象項目名】０００９
【補正方法】変更
【補正の内容】
【０００９】
かつ、本発明によれば、表面の所定箇所に複数の香料（１３）が載置されてその香料（１３）の香料分子が通過して徐放される様にフィルム（１４）で被覆されているカード（１）のカード読取装置（１１）による認証システムにおいて、そのカード読取装置（１１）は前記カード（１）に載置された香料（１３）と対応する位置にセンサ（Ｓ１〜Ｓ４）を有し、そのセンサ（Ｓ１〜Ｓ４）は一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の検出信号と閾値とを比較してその検出信号と閾値との以上、未満の組合せを求め、組合せが登録されていればカードは適正であると判定する機能を有している。
【手続補正６】
【補正対象書類名】明細書
【補正対象項目名】００１０
【補正方法】変更
【補正の内容】
【００１０】
さらに、本発明によれば、表面の所定箇所に複数の香料（１３）が載置されている様にフィルム（１４）で被覆されているカードのカード読取装置（２Ａ）による認証システムにおいて、そのカード（１Ａ）にはさらに電子的な読取手段により読み取り可能な情報が記憶されている部分（１Ａａ）を有し、前記カード読取装置はカード（１Ａ）に載置されて香料（１３）と対応する位置に設けたセンサ（Ｓａ、Ｓｂ、Ｓｃ）と、前記香料（１３）の外にカード（１Ａ）に記憶された情報に対応する電子的に読み取る読取手段（２Ｍ）とを有し、そして前記カード読取装置（７Ａ）のセンサ（Ｓａ、Ｓｂ、Ｓｃ）からの検出信号と、電子的な読取手段（２Ｍ）からの読取信号とに応答してカードが適正であるか否かを判定する制御手段（２Ａ）を備え、その制御手段（７Ａ）は電子情報と香り情報とを読み取ると、正規の電子情報および正規の香り情報とを比較してカードが適正であるか否かを判定する機能を有している。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
表面の所定箇所に香りの異なる複数の香料（１３）が載置されてその香料（１３）の香料分子が通過して徐放される様にフィルム（１４）で被覆されているカード（１）のカード読取装置（１１）によるカード認証システムにおいて、そのカード読取装置（１１）は前記カード（１）に載置された香料（１３）と対応する位置にセンサ（Ｓ１〜Ｓ４）を有し、その各々のセンサ（Ｓ１〜Ｓ４）は各々の一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の全ての検出信号が閾値以上であるか否かを判断し、ＹＥＳの場合はカードが適正であると判定する機能を有することを特徴とするカード認証システム。
【請求項２】
表面の所定箇所に香りの異なる複数の香料（１３）が載置されてその香料（１３）の香料分子が通過して徐放される様にフィルム（１４）で被覆されているカード（１）のカード読取装置（１１）によるカード認証システムにおいて、そのカード読取装置（１１）は前記カード（１）に載置された香料（１３）と対応する位置にセンサ（Ｓ１〜Ｓ４）を有し、その各々のセンサ（Ｓ１〜Ｓ４）は各々の一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の検出信号と閾値とを比較してその検出信号と閾値との以上、未満の組合せを求め、組合せが登録されていればカードは適正であると判定する機能を有することを特徴とするカード認証システム。
【請求項３】
表面の所定箇所に複数の香料（１３）が載置されている様にフィルム（１４）で被覆されているカードのカード読取装置（２Ａ）によるカード認証システムにおいて、そのカード（１Ａ）にはさらに電子的な読取手段により読み取り可能な情報が記憶されている部分（１Ａａ）を有し、前記カード読取装置はカード（１Ａ）に載置されて香料（１３）と対応する位置に設けたセンサ（Ｓａ、Ｓｂ、Ｓｃ）と、前記香料（１３）の外にカード（１Ａ）に記憶された情報に対応する電子的に読み取る読取手段（２Ｍ）とを有し、そして前記カード読取装置（２Ａ）のセンサ（Ｓａ、Ｓｂ、Ｓｃ）からの検出信号と、電子的な読取手段（２Ｍ）からの読取信号とに応答してカードが適正であるか否かを判定する制御手段（７Ａ）を備えその制御手段（７Ａ）は電子情報と香り情報とを読み取ると、正規の電子情報および正規の香り情報とを比較してカードが適正であるか否かを判定する機能を有することを特徴とするカード認証システム。
【手続補正３】
【補正対象書類名】明細書
【補正対象項目名】０００１
【補正方法】変更
【補正の内容】
【０００１】
本発明は、カードが適正か否かを判定するカード認証システムに関する。
【手続補正４】
【補正対象書類名】明細書
【補正対象項目名】０００５
【補正方法】変更
【補正の内容】
【０００５】
したがって、本発明の目的は、電子技術を悪用しても内部に記憶されている情報を読み取って偽造することが困難なカードを用いたカード認証システムを提供することにある。
【手続補正５】
【補正対象書類名】明細書
【補正対象項目名】０００６
【補正方法】変更
【補正の内容】
【０００６】
本発明によれば、表面の所定箇所に香りの異なる複数の香料（１３）が載置されてその香料（１３）の香料分子が通過して徐放される様にフィルム（１４）で被覆されているカード（１）のカード読取装置（１１）によるカード認証システムにおいて、そのカード読取装置（１１）は前記カード（１）に載置された香料（１３）と対応する位置にセンサ（Ｓ１〜Ｓ４）を有し、その各々のセンサ（Ｓ１〜Ｓ４）は各々の一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の全ての検出信号が閾値以上であるか否かを判断し、ＹＥＳの場合はカードが適正であると判定する機能を有している。
【手続補正６】
【補正対象書類名】明細書
【補正対象項目名】０００７
【補正方法】変更
【補正の内容】
【０００７】
また、本発明によれば、表面の所定箇所に香りの異なる複数の香料（１３）が載置されてその香料（１３）の香料分子が通過して徐放される様にフィルム（１４）で被覆されているカード（１）のカード読取装置（１１）によるカード認証システムにおいて、そのカード読取装置（１１）は前記カード（１）に載置された香料（１３）と対応する位置にセンサ（Ｓ１〜Ｓ４）を有し、その各々のセンサ（Ｓ１〜Ｓ４）は各々の一種類の香料のみに感応して検出信号を出力するものであり、カード（１）が読取装置（１１）の読取り位置に位置したときにセンサ（Ｓ１〜Ｓ４）からの信号でそのカード（１）が適正であるか否かを判定する制御手段（７）を備え、その制御手段（７）はセンサ（Ｓ１〜Ｓ４）がカード出力信号を検出するとそれらのセンサ（Ｓ１〜Ｓ４）の検出信号と閾値とを比較してその検出信号と閾値との以上、未満の組合せを求め、組合せが登録されていればカードは適正であると判定する機能を有している。
【手続補正７】
【補正対象書類名】明細書
【補正対象項目名】０００８
【補正方法】変更
【補正の内容】
【０００８】
そして本発明によれば、表面の所定箇所に複数の香料（１３）が載置されている様にフィルム（１４）で被覆されているカードのカード読取装置（２Ａ）によるカード認証システムにおいて、そのカード（１Ａ）にはさらに電子的な読取手段により読み取り可能な情報が記憶されている部分（１Ａａ）を有し、前記カード読取装置はカード（１Ａ）に載置されて香料（１３）と対応する位置に設けたセンサ（Ｓａ、Ｓｂ、Ｓｃ）と、前記香料（１３）の外にカード（１Ａ）に記憶された情報に対応する電子的に読み取る読取手段（２Ｍ）とを有し、そして前記カード読取装置（２Ａ）のセンサ（Ｓａ、Ｓｂ、Ｓｃ）からの検出信号と、電子的な読取手段（２Ｍ）からの読取信号とに応答してカードが適正であるか否かを判定する制御手段（７Ａ）を備えその制御手段（７Ａ）は電子情報と香り情報とを読み取ると、正規の電子情報および正規の香り情報とを比較してカードが適正であるか否かを判定する機能を有している。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】